(57)【要約】【課題】画像形成装置の起動順序に応じて、設定を順次実行するため、起動時間を要し、表示装置の制御による表示が行われるまでに時間がかかっていた。【解決手段】画像形成装置において、第一の表示画像生成部（２０２）を制御するメインＣＰＵ（２０１）と、第二の表示画像生成部（２１１）を制御する操作部マイコン（２１０）と、第一の表示画像および第二の表示画像選択するセレクタ部（２１２）で選択した表示画像をＬＣＤ（２１３）に表示する手段を備える。また、装置の立ち上げ時にＩＯ制御信号通知に基づいて、セレクタ部（２１２）を切り替え第一の表示画像を表示させることを特徴とする。【選択図】図２
2017009951.tif 000002
【特許請求の範囲】
【請求項１】
画像形成装置において、第一の表示画像生成部（２０２）を制御するメインＣＰＵ（２０１）と、第二の表示画像生成部（２１１）を制御する操作部マイコン（２１０）と、第一の表示画像および第二の表示画像選択するセレクタ部（２１２）で選択した表示画像をＬＣＤ（２１３）に表示する手段を備える。また、第一の表示画像を変換する画像変換部（２１０）手段、画像変換部からのクロック信号を検知するＣＬＫ検知部（２１６）手段、操作部マイコン（２１）へのコントローラ部（１０１）からのＩＯ制御信号通知手段を備えた装置において、画像形成装置の起動時に、第二の表示画像を表示させるとともに、画像形成装置の立ち上げ時にＩＯ制御信号通知に基づいて、セレクタ部（２１２）を切り替え第一の表示画像を表示させることを特徴とする画像形成装置。
【請求項２】
前記画像形成装置の起動時に、第二の表示画像を表示させるとともに、画像形成装置の立ち上げ時に画像変換部からのクロック信号を検知するＣＬＫ検知部（２１６）手段の制御信号通知に基づいて、セレクタ部（２１２）を切り替え第一の表示画像を表示させることを特徴とする請求項１に記載の画像形成装置。
【発明の詳細な説明】
【技術分野】
【０００１】
本発明は、画像形成装置における表示装置において、画像形成装置の状態に応じて、表示を行う制御に関する。
【背景技術】
【０００２】
画像形成装置において、装置の制御を司る制御部が表示装置の制御を行う場合がある（特許文献１参照）。特許文献１の画像形成装置は、起動時すなわち、装置の電源投入時に、装置を司る制御部は起動シーケンスおよび、装置の起動順序に応じて、設定を順次実行するため、起動時間を要し、表示装置の制御による表示が行われるまでに時間がかかっていた。
【先行技術文献】
【特許文献】
【０００３】
【特許文献１】特開２００３−８４９０７号公報
【発明の概要】
【発明が解決しようとする課題】
【０００４】
特許文献１の画像形成装置において、装置の制御を司る制御部が表示装置の制御を行う場合、装置の制御部は制御全体の管理、設定を行うため、起動時間を要し、表示装置の制御による表示を行うまでに時間がかかっていた。
【０００５】
なぜならば、画像形成装置は、入力装置、出力装置、表示装置、それらの制御を行う制御装置、装置のプログラムを記憶する記憶装置など、装置の構成が複雑かつプログラムが大容量化している。
【０００６】
そのため、まず、画像形成装置が起動すると、装置のプログラムを読み出すための読み出し時間がかかる。
【０００７】
その後、入力装置、出力装置、を順番にチェックし、使用可能にセットするために時間がかかる。このようにして、画像形成装置のすべてを準備完了にすることにより、表示装置の表示を行う処理を行う。
【０００８】
以上の処理が必要なため、画像形成装置の立ち上げに時間がかかっていた。
【０００９】
また、画像形成装置が準備完了なり、表示装置の表示を行う処理信号が表示装置で認識するまでは、表示ができなかった。そのため、起動時に表示装置の表示が遅いという課題があった。
【００１０】
そこで、本発明では、起動時に早く表示装置に画面を表示することが可能な画像形成装置を提供することを目的とする。
【課題を解決するための手段】
【００１１】
上記の目的を達成するために、本発明に係る画像形成装置は、
第一の表示画像生成部（２０２）を制御するメインＣＰＵ（２０１）と、第二の表示画像生成部（２１１）を制御する操作部マイコン（２１０）と、第一の表示画像および第二の表示画像選択するセレクタ部（２１２）で選択した表示画像をＬＣＤ（２１３）に表示する手段を備える。また、第一の表示画像を変換する画像変換部（２１０）手段、操作部マイコン（２１０）へのコントローラ部（１０１）からのＩＯ制御信号通知手段を備えた装置において、画像形成装置の起動時に、第二の表示画像生成部（２１１）に、第二の表示画像を表示させるとともに、ＩＯ制御信号通知に基づいて、セレクタ部（２１２）を切り替え、第一の表示画像生成部（２０２）に第一の表示画像を表示させることを特徴とする。
【発明の効果】
【００１２】
本発明によれば、起動時に早く表示装置に画面を表示することが可能な画像形成装置の提供を実現できる。
【図面の簡単な説明】
【００１３】
【図１】画像形成装置の図
【図２】実施例１におけるコントローラ部１０１と操作部１０２の概略ブロック図
【図３】操作部１０２における操作部マイコン２１０周辺の詳細ブロック図
【図４】実施例１に於けるコントローラ部の制御フローチャート
【図５】実施例１に於ける操作部の制御フローチャート
【図６】実施例２に於ける操作部の制御フローチャート
【図７】実施例１に於ける操作部マイコン内の診断部におけるタイミングチャート図
【図８】実施例１、２に於ける操作部表示例
【図９】実施例１に於ける操作部マイコン内の制御部におけるタイミングチャート図
【図１０】実施例２に於ける操作部マイコン内の診断部におけるタイミングチャート図
【図１１】実施例２に於ける操作部マイコン内の制御部におけるタイミングチャート図
【発明を実施するための形態】
【００１４】
以下、本発明を実施するための最良の形態について図面を用いて説明する。
【００１５】
［実施例１］
図１は本発明の１実施例である画像形成装置として、内部構成例を示している。１０１は画像形成装置の各部を制御するためのコントローラ部である。１０２はユーザが各種の操作を行うための操作パネル、及び操作情報を表示するための表示器を備えた操作部である。１０３はプリンタ部であり、コントローラ部１０１で処理された様々な種類の入力画像を印刷して出力する。１０４はスキャナ部であり、画像をスキャンしてコントローラ部１０１に入力する。１０５はネットワークであり、本実施例ではＬＡＮを想定している（以下ＬＡＮと表記する）。
【００１６】
次に、図２により、画像形成装置内のコントローラ部１０１と操作部１０２の内部概略ブロック図を示す。２０１はコントローラ部１０１の各部を制御するためのメインＣＰＵ２０１である。２０２は第一の表示画像生成部であり、メインＣＰＵ２０１が第一の表示画面生成部２０２を制御して操作部１０２の表示画像を生成する。２０３はＩＯ制御部であり、コントローラ部１０１および、コントローラに接続されているユニットの入出力を制御する機能を有する。２０４はＬＡＮコントローラであり、メインＣＰＵ２０１が起動するまでの制御等を行うことが可能である。
【００１７】
２０７は画像処理部であり、入力された画像データに様々な画像処理を施して処理後の画像データを出力させる機能を有する。２０８はスキャナＩ／Ｆであり、スキャナ部１０４からスキャンして取り込まれた画像データをコントローラ部１０１に取り込む。２０９はプリンタＩ／Ｆであり、画像処理部２０７で処理された画像データをプリンタ部１０３に送出する。２１０は操作部マイコンであり、操作部１０２の各部を制御し、また、コントローラ部１０１内のメインＣＰＵ２０１とＩＯ制御部２０３を介して通信を行う。
【００１８】
２１１は第二の画像生成部であり、操作部マイコン２１０が第二の表示画面生成部２１１を制御し、操作部１０２の表示画像を生成する。画像変換部２１５はコントローラ部１０１の第一の表示画像生成部２０２において作成した画像データを入力し、ＬＶＤＳフォーマットに変換後、画像データおよびクロックを出力する。画像変換部２１５の次の処理となる２１２はセレクタ部であり、前記画像変換部２１５により変換された表示画像と第二の表示画像生成部２１１で生成された表示画像の双方が入力される。
【００１９】
そして、操作部マイコン２１０からの制御信号２１７によって選択された前記いずれかの表示画像生成部からの入力信号を選択してＬＣＤ２１３に出力する。２１４はＬＣＤ電源部であり、電源制御部２０４からの制御信号２１８に応じてＬＣＤ２１３を表示させるためのバックライト電源を供給する。２１６は画像変換部２１５から出力される変換画像ともに出力されるクロックを検知するＣＬＫ検知部である。
【００２０】
図３は実施例１における操作部マイコン２１０に関連する構成例を示した詳細ブロック図である。操作部マイコン２１０はコントローラ部１０１および操作部１０２との接続情報に基づき、操作部１０２における動作の診断を行う診断部３０１と前記診断結果に基づく動作を行う制御部３０２から構成される。診断部３０１は、操作部１０２の動作状況の診断と操作部１０２における表示画像の生成トリガ信号を作成する処理を行う。
【００２１】
コントローラ部１０１のＩＯ制御部２０３からのＩＯ制御信号および、操作部１０２内部のＣＬＫ検知部２１６から入力されるクロック信号により、操作部１０２の起動状況等の診断の方法を図７のタイミングチャートで述べる。画像形成装置を起動するために電源スイッチが投入されると、図２および図３では不図示の操作部常夜電源が立ち上がる。（Ｔ７０１）これにより操作部マイコン２０１に電源が供給される。その後、不図示のリセット回路によりＴ７０２において操作部マイコンのリセット動作が行われる。
【００２２】
そして、Ｔ７０３においてコントローラ部１０１のＩＯ制御部２０３から操作部非常夜電源イネーブルが伝達され、操作部に電源が投入され準備が行われる。このとき操作部が立ち上がった状態であると診断する。Ｔ７０４において、操作部１０２が立ち上がったことをコントローラへ伝える信号をＩＯ制御部２０３へ通知する。Ｔ７０５において、操作部画像作成トリガを生成し、２１１第二の表示画像生成部へ通知を行う。２１１第二の表示画像生成部は画像生成通知を受信すると、不図示のＲＯＭに記憶している操作部データを読み出し、画像生成を行う。
【００２３】
例えば、操作部が立ち上がった状態では“お待ちください”を含むデータを読み出し生成する。Ｔ７０６において、コントローラ部１０１のＩＯ制御部２０３からＬＣＤＯＮ信号が通知される。これにより、操作部とともにコントローラ部も立ち上がったことを診断する。制御部３０２は、コントローラ部１０１のＩＯ制御部２０３からのＩＯ制御信号および、操作部１０２内部のＣＬＫ検知部２１６から入力されるクロック信号により、操作部１０２のＬＣＤ２１３への表示制御を行う。
【００２４】
操作部１０２で表示する画像は、２種類あり、１つ目は、コントローラ部１０１の第一の表示画像生成部からの画像信号を操作部１０２の画像変換部２１５により、ＬＣＤ２１３で表示可能な画像フォーマットに変換した表示用画像である。２つ目は、前記第二の表示画像生成部２１１において画像生成した表示用画像の以上２種類の画像信号を入力する手段をセレクタ部２１２に対して備えている。ＬＣＤ２１３への画像表示制御方法を図９のタイミングチャートを用いて説明する。図７で説明したように、診断部３０１より生成する操作部画像作成トリガを出力するタイミングをＴ９０１とする。
【００２５】
これにより、Ｔ９０２において第二の表示画像生成部２１１で作成された画像が出力される。この時、第二の表示画像生成時に、制御部３０２へ画像生成の通知を行う。画像信号入力を選択するセレクタ部２１２は第二の表示画像の表示を選択する。Ｔ９０３においてバックライト電源イネーブル信号を通知し、ＬＣＤ電源２１４が印加され、ＬＣＤ２１３への第二の表示画像表示が行われる。この時の表示の状態を図８に示す。Ｔ９０４において、ＬＣＤＯＮ信号が通知される。Ｔ９０５において、バックライト電源イネーブル信号を消灯し、セレクタ部２１２は第一の表示画像の表示を選択する。
【００２６】
Ｔ９０６で再びバックライト電源イネーブル信号を通知し、ＬＣＤ電源２１４が印加され、ＬＣＤ２１３への第一の表示画像表示が行われる。
【００２７】
図４は実施例１におけるコントローラ部のＣＰＵ２０１における動作フローを示す。まず、ステップＳ４０１において画像形成装置の起動のために電源スイッチ投入により常夜電源が供給される。次に、ステップＳ４０２において、コントローラ部１０１の初期化のための不図示のリセット回路によるリセット動作を行う。さらに、ステップＳ４０３において、不図示の記憶装置からプログラムの読み出し、記憶メモリへの書き込みを実行する。この動作に時間を要する。
【００２８】
次に、ステップＳ４０４において、メインＣＰＵ２０１はコントローラのオプション構成のチェックを行い、記憶メモリの容量設定、オプション構成の有りなしのチェックを行い、設定値と違う場合は構成の状態に更新を行う。そして、ステップＳ４０５において、メインＣＰＵ２０１は前記画像形成装置の構成情報と、前記記憶メモリの情報から第一の表示画像生成部２０２において、画像形成装置の有効な機能を選択する通常表示画面の画像データ作成を行う。そして、その画像データを操作部１０２へ送信する。以上の処理が終了すると、ステップＳ４０６において、コントローラの立ち上げが完了となる。
【００２９】
その後、ステップＳ４０７においてメインＣＰＵ２０１はＩＯ制御部２０３を介して、操作部１０２にＬＣＤＯＮ信号の通知を行う。このとき、画像形成装置の動作状態はスタンバイ状態となっている。そして、ステップＳ４０８において画像形成装置のメインＣＰＵ２０１はジョブ待ちの判断となる。画像形成装置のメインＣＰＵ２０１にジョブの通知が来ない場合、Ｎｏの判断となり、ジョブ待ちの判断状況を継続する。ステップＳ４０８においてメインＣＰＵ２０１がジョブの通知を検知すると、Ｙｅｓの判断となり、ジョブを実行し終了となる（ステップＳ４０９）。
【００３０】
図５は実施例１における操作部マイコンの動作フローを示す。まず、ステップＳ５０１において、画像形成装置の起動により、コントローラ部から操作部の各部に電源が投入される。次に、ステップＳ５０２において、操作部マイコン２１０は、不図示のリセット回路により操作部マイコンのリセット動作が行われる。さらに、ステップＳ５０３において、操作部マイコン２１０は前記第二の表示画像生成部２１１に対して、図７のＴ７０５で説明したように、診断部３０１から操作部画像作成トリガを出す。そして、２１１第二の表示画像生成部は画像生成通知を受信し、操作部の表示用画像の作成を行う。
【００３１】
次に、ステップＳ５０４において、操作部マイコン２１０の制御部３０２により、操作部の表示用画像のセレクタ切り替え処理において、前記第二の表示画像出力を選択する処理を行う。そして、ステップＳ５０５において、前記セレクタ部２１２で選択した前記第二の表示画像を操作部マイコン２１０の制御部３０２のバックライト電源イネーブル信号を送信し、ＬＣＤ電源２１４を駆動し、ＬＣＤ２１３において画像データの表示を行う。以上の処理より操作部内部動作によるＬＣＤ表示が完了する。このとき、画像形成装置のコントローラは十分に立ち上がっていない状況となる。
【００３２】
そして、操作部はコントローラ部からのＬＣＤＯＮ信号の通知を待つ判断となる。ＬＣＤＯＮ信号が来ない場合、Ｎｏの判断となり、通知待ちの判断状況を継続する。ステップＳ５０５においてＬＣＤＯＮ信号の通知を検知すると、Ｙｅｓの判断となり、セレクタ部２１２の切り替えにおいて、コントローラ部１０１の第一の表示画像生成部で作成した画像を表示する選択を行う。（ステップＳ５０７）これにより、ステップＳ５０８で第一の表示画像生成部で作成した画像の画像表示が行われる。
【００３３】
上記フローによる処理動作を実行することにより、起動時における画像形成装置への表示手段は従来よりも早く表示装置への表示が可能となる。
【００３４】
［実施例２］
実施例１は、画像形成装置において、第一の表示画像生成部２０２を制御するメインＣＰＵ２０１と、第二の表示画像生成部２１１を制御する操作部マイコン２１０と、第一の表示画像および第二の表示画像選択するセレクタ部２１２で選択した表示画像があった。それらをＬＣＤ２１３に表示する手段において、起動時に、第二の表示画像を表示していた画像を、画像形成装置が十分に立ち上がり、第一の表示画像に切り替える処理をＬＣＤＯＮ信号で制御を行った。これから述べる実施例２において、別の信号による表示画像の切り替え処理制御を、図６のフローを用いて、説明を行う。
【００３５】
図６は実施例２における操作部マイコンの動作フローを示す。また、図１０、図１１のタイミングチャートを用いて操作部マイコンの表示画像の切り替え処理制御を説明する。まず、ステップＳ６０１において、画像形成装置の起動により、コントローラ部から操作部の各部に電源が投入される。（Ｔ１００１）次に、ステップＳ６０２において、操作部マイコン２１０は、不図示のリセット回路により操作部マイコンのリセット動作が行われる。（Ｔ１００２）その後、Ｔ１００３において、操作部非常夜電源が投入され、Ｔ１００４において、操作部準備が完了する。
【００３６】
それにより、操作部マイコン２１０の診断部は、操作部準備完了に伴い、Ｔ１００５およびＴ１１０１において、操作部画像作成トリガを生成し、出力を行う。さらに、ステップＳ６０３において、操作部マイコン２１０は前記第二の表示画像生成部２１１に対して、診断部３０１からの前記操作部画像作成トリガの指示により、操作部の表示用画像の作成を行う。（Ｔ１１０２）次に、ステップＳ６０４において、操作部マイコン２１０の制御部３０２により、操作部の表示用画像のセレクタ切り替え処理において、前記第二の表示画像出力を選択する処理を行う。
【００３７】
そして、ステップＳ６０５において、前記セレクタ部２１２で選択した前記第二の表示画像を操作部マイコン２１０の制御部３０２のバックライト電源イネーブル信号を送信し、ＬＣＤ電源２１４を駆動し、ＬＣＤ２１３において図８に示す画像データの表示を行う。（Ｔ１１０３）以上の処理より操作部内部動作によるＬＣＤ表示が完了する。このとき、画像形成装置のコントローラは十分に立ち上がっていない状況となる。そして、操作部は画像変換部２１５からのクロック信号Ｔ１００６の通知により、クロック検知部２１６のＣＬＫ検知を待つ判断となる。
【００３８】
ステップＳ６０６においてＣＬＫ検知信号Ｔ１００６およびＴ１１０４の通知を検知すると、Ｙｅｓの判断となり、セレクタ部２１２の切り替えにおいて、コントローラ部１０１の第一の表示画像生成部で作成した画像を表示する選択を行う。（ステップＳ６０７およびＴ１１０５）これにより、ステップＳ６０８で第一の表示画像生成部で作成した画像の画像表示が行われる（Ｔ１１０６）。
【００３９】
上記フローによる処理動作を実行することにより、起動時における画像形成装置への表示手段は従来よりも早く表示装置への表示が可能となる。
【００４０】
［その他の実施例］
さらに本発明は、複数の機器（例えばコンピュータ、インターフェース機器、リーダー、プリンタなど）から構成されるシステムに適用することも、一つの機器からなる装置（複合機、プリンタ、ファクシミリ装置など）に適用することも可能である。
【００４１】
また本発明の目的は、上述した実施例で示したフローチャートの手順を実現するプログラムコードを記憶した記憶媒体から、システムあるいは装置のコンピュータ（またはＣＰＵやＭＰＵ）が、そのプログラムコードを読出し実行することによっても達成される。この場合、記憶媒体から読み出されたプログラムコード自体が上述した実施形態の機能を実現することになる。そのため、このプログラムコード及びプログラムコードを記憶した記憶媒体も本発明の一つを構成することになる。
【００４２】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４３】
またコンピュータが読み出したプログラムコードを実行することにより、上述した実施形態の機能が実現されるだけでなく、そのプログラムコードの指示に基づきコンピュータ上で稼動しているＯＳ（オペレーティングシステム）などが実際の処理の一部または全部を行い、その処理によって上述した実施形態の機能が実現される場合も含まれる。
【００４４】
更に、記憶媒体から読出されたプログラムコードが、コンピュータに挿入された機能拡張ボードやコンピュータに接続された機能拡張ユニットに備わるメモリに書き込みまれた後、そのプログラムコードの指示に基づき、その機能拡張ボードや機能拡張ユニットに備わるＣＰＵなどが実際の処理の一部または全部を行い、その処理によって上述した実施形態の機能が実現される。
【符号の説明】
【００４５】
１０１  コントローラ部、１０２  操作部、１０３  プリンタ部、１０４  スキャナ部、
１０５  ネットワーク部
【図７】
2017009951.tif 000003
【図９】
2017009951.tif 000004
【図１０】
2017009951.tif 000005
【図１１】
2017009951.tif 000006
【図１】
2017009951.tif 000007
【図２】
2017009951.tif 000008
【図３】
2017009951.tif 000009
【図４】
2017009951.tif 000010
【図５】
2017009951.tif 000011
【図６】
2017009951.tif 000012
【図８】
2017009951.tif 000013